(57)【特許請求の範囲】
【請求項１】
紙幣を投入する接客部と、
結束紙幣の単位数、およびバラ状態の紙幣枚数を設定する設定部と、
紙幣の表裏を判定する判定部と、
紙幣を集積する紙幣集積部と、
紙幣を結束する紙幣結束部と、
前記紙幣結束部により結束される紙幣が集積される結束紙幣集積部と、
前記設定部により設定された単位数の結束紙幣を構成する紙幣の枚数である結束紙幣枚数、および前記設定部により設定されたバラ状態の紙幣枚数の合計枚数を前記紙幣集積部から前記判定部に繰り出す搬送部と、
各紙幣について、前記判定部により表裏状態が第１の状態であると判定された場合は前記結束紙幣集積部に決定し、前記判定部により表裏状態が第２の状態であると判定された場合は紙幣反転機能部である前記接客部に、前記紙幣の搬送先を決定する制御部と、
を備える、紙幣処理装置。
【請求項２】
前記搬送部は、前記接客部に搬送された紙幣を分離して前記判定部へ再搬送する、請求項１に記載の紙幣処理装置。
【請求項３】
前記紙幣処理装置は、
紙幣を一時的に集積する一時保留部をさらに備え、
前記制御部は、前記再搬送した紙幣の表裏状態が第１の状態であって、かつ、前記結束紙幣集積部への紙幣の搬送枚数が前記結束紙幣枚数に達した場合は、当該紙幣の搬送先を前記一時保留部に決定する、請求項２に記載の紙幣処理装置。
【請求項４】
紙幣を投入する接客部と、
結束紙幣の単位数、およびバラ状態の紙幣枚数を設定する設定部と、
紙幣の表裏を判定する判定部と、
紙幣を集積する紙幣集積部と、
紙幣を結束する紙幣結束部と、
前記紙幣結束部により結束される紙幣が集積される結束紙幣集積部と、
前記設定部により設定された単位数の結束紙幣を構成する紙幣の枚数である結束紙幣枚数、および前記設定部により設定されたバラ状態の紙幣枚数の合計枚数を前記紙幣集積部から前記判定部に繰り出す搬送部と、
紙幣を一時的に集積する一時保留部と、
各紙幣の搬送先について、前記判定部により表裏状態が第１の状態であると判定された場合は前記結束紙幣集積部に決定し、前記判定部により表裏状態が第２の状態であると判定され、かつ前記一時保留部への紙幣の搬送枚数が前記バラ状態の紙幣枚数に達していない場合は前記一時保留部に決定し、前記一時保留部への紙幣の搬送枚数が前記バラ状態の紙幣枚数に達した場合は、紙幣反転機能部である前記接客部に決定する制御部と、
を備え、
前記搬送部は、前記接客部に搬送された紙幣を分離して前記判定部へ再搬送する、紙幣処理装置。
【請求項５】
前記搬送部は、前記紙幣の搬送先が前記一時保留部に決定され、前記紙幣が前記一時保留部に搬送された場合、当該一時保留部から繰り出したバラ状態の紙幣を前記接客部へ搬送する、請求項３または４に記載の紙幣処理装置。
【請求項６】
前記接客部は、
紙幣の繰出口と、
前記搬送部により搬送された前記紙幣を受け入れる受入口と、
を有し、
前記受入口から受け入れられた前記紙幣は、受け入れ時の表裏状態が維持された状態で上下方向に集積され、
前記搬送部は、前記集積された紙幣を、前記繰出口から、受け入れ方向と逆方向に繰り出す、請求項２〜５のいずれか１項に記載の紙幣処理装置。
【請求項７】
紙幣を投入する接客部と、
結束紙幣の単位数、およびバラ状態の紙幣枚数を設定する設定部と、
紙幣の表裏を判定する判定部と、
紙幣を集積する紙幣集積部と、
紙幣を結束する紙幣結束部と、
前記紙幣結束部により結束される紙幣が集積される結束紙幣集積部と、
前記設定部により設定された単位数の結束紙幣を構成する紙幣の枚数である結束紙幣枚数、および前記設定部により設定されたバラ状態の紙幣枚数の合計枚数を前記紙幣集積部から前記判定部に繰り出す搬送部と、
紙幣折返部と、
前記判定部から前記結束紙幣集積部へ向かう第１の搬送路と、前記判定部から前記紙幣折返部に向かう第２の搬送路とに分岐する分岐部と、
各紙幣の搬送先について、前記判定部により表裏状態が第１の状態であると判定された場合は前記分岐部により前記第１の搬送路に送り込ませて到達する前記結束紙幣集積部に決定し、前記判定部により表裏状態が第２の状態であると判定され、かつ前記バラ状態の紙幣枚数に達していない場合は前記接客部に決定し、前記判定部により表裏状態が第２の状態であると判定され、かつ前記バラ状態の紙幣枚数に達した場合は、前記分岐部により紙幣反転機能部である前記第２の搬送路に送り込ませてから前記紙幣折返部で進路を折り返した上で前記第１の搬送路を介して到達する前記結束紙幣集積部に決定する制御部と、
を備える、紙幣処理装置。
【請求項８】
前記第１の状態は、裏状態である、請求項１〜７のいずれか１項に記載の紙幣処理装置。
【請求項９】
前記紙幣結束部および前記結束紙幣集積部は、前記判定部、前記紙幣集積部、および前記搬送部よりも上方に設けられる、請求項１〜８のいずれか１項に記載の紙幣処理装置。
【請求項１０】
前記結束紙幣集積部は、１つである、請求項１〜９のいずれか１項に記載の紙幣処理装置。
【発明の詳細な説明】
【技術分野】
【０００１】
本発明は、紙幣処理装置に関する。
【背景技術】
【０００２】
従来、出納システムは、金融機関内等に設置されており、例えば紙幣を入出する紙幣入出金機や紙幣を所定枚数ごとに施封する施封小束支払機等、紙幣や硬貨の取引に関する種々の処理を行う複数種類の装置の組み合わせにより構成されている。
【０００３】
このうち施封小束支払機は、例えば紙幣入出金機から入金された紙幣の種別を判別し、種別毎に集積した所定枚数（例えば１００枚）の紙幣を施封して紙幣小束を排出する機能を有する。ここで、施封する紙幣は表裏が揃っている必要があるが、紙幣入出金機から入金される紙幣は表裏が揃っていないことが一般的である。したがって、従来の施封小束支払機には、紙幣の表裏を反転させる表裏反転機構が設けられていた。
【０００４】
また、下記特許文献１では、施封用紙幣として紙幣を表向きで集積する際に、裏向きの紙幣は一時保留部へ搬送して排除し、表向きの紙幣のみを集積することで、紙幣の表裏を揃えている。
【先行技術文献】
【特許文献】
【０００５】
【特許文献１】ＷＯ２００９−１１８８３９号公報
【発明の概要】
【発明が解決しようとする課題】
【０００６】
しかしながら、上述した表裏反転機構を紙幣処理装置に実装すると、装置サイズが大きくなってしまい、表裏反転機構を実装した上で装置サイズを小さくしようとすると、現金容量（紙幣カセットの容量）が小さくなってしまうという問題があった。
【０００７】
また、表裏反転機構を有さない紙幣処理装置の場合、オペレータが予め紙幣カセットに表裏を揃えた紙幣を装填しなければならず、手間がかかっていた。また、上記特許文献１では、裏向き紙幣を排除してしまうため、紙幣処理装置に収納されている現金を有効利用することができなかった。
【０００８】
さらに、小束出金とバラ出金を行う場合、通常、小束出金が終了した後にバラ出金が行われるが、小束出金では例えば表裏反転機構における紙幣反転処理が行わると時間が掛かり、結果的に全ての出金処理が終了するまでに長い時間が掛かっていた。
【０００９】
そこで、本発明は、上記問題に鑑みてなされたものであり、本発明の目的とするところは、装置の小型化を実現しつつ、小束出金とバラ出金を並行して行うことが可能な、新規かつ改良された紙幣処理装置を提供することにある。
【課題を解決するための手段】
【００１０】
上記課題を解決するために、本発明のある観点によれば、紙幣を投入する接客部と、結束紙幣の単位数、およびバラ状態の紙幣枚数を設定する設定部と、紙幣の表裏を判定する判定部と、紙幣を集積する紙幣集積部と、紙幣を結束する紙幣結束部と、前記紙幣結束部により結束される紙幣が集積される結束紙幣集積部と、前記設定部により設定された単位数の結束紙幣を構成する紙幣の枚数である結束紙幣枚数、および前記設定部により設定されたバラ状態の紙幣枚数の合計枚数を前記紙幣集積部から前記判定部に繰り出す搬送部と、各紙幣について、前記判定部により表裏状態が第１の状態であると判定された場合は前記結束紙幣集積部に決定し、前記判定部により表裏状態が第２の状態であると判定された場合は紙幣反転機能部である前記接客部に、前記紙幣の搬送先を決定する制御部と、を備える、紙幣処理装置が提供される。
【００１１】
また、前記搬送部は、前記接客部に搬送された紙幣を分離して前記判定部へ再搬送してもよい。
【００１２】
また、前記紙幣処理装置は、紙幣を一時的に集積する一時保留部をさらに備え、前記制御部は、前記再搬送した紙幣の表裏状態が第１の状態であって、かつ、前記結束紙幣集積部への紙幣の搬送枚数が前記結束紙幣枚数に達した場合は、当該紙幣の搬送先を前記一時保留部に決定してもよい。
【００１３】
また、上記課題を解決するために、本発明の別の観点によれば、紙幣を投入する接客部と、結束紙幣の単位数、およびバラ状態の紙幣枚数を設定する設定部と、紙幣の表裏を判定する判定部と、紙幣を集積する紙幣集積部と、紙幣を結束する紙幣結束部と、前記紙幣結束部により結束される紙幣が集積される結束紙幣集積部と、前記設定部により設定された単位数の結束紙幣を構成する紙幣の枚数である結束紙幣枚数、および前記設定部により設定されたバラ状態の紙幣枚数の合計枚数を前記紙幣集積部から前記判定部に繰り出す搬送部と、紙幣を一時的に集積する一時保留部と、各紙幣の搬送先について、前記判定部により表裏状態が第１の状態であると判定された場合は前記結束紙幣集積部に決定し、前記判定部により表裏状態が第２の状態であると判定され、かつ前記一時保留部への紙幣の搬送枚数が前記バラ状態の紙幣枚数に達していない場合は前記一時保留部に決定し、前記一時保留部への紙幣の搬送枚数が前記バラ状態の紙幣枚数に達した場合は、紙幣反転機能部である前記接客部に決定する制御部と、を備え、前記搬送部は、前記接客部に搬送された紙幣を分離して前記判定部へ再搬送する、紙幣処理装置が提供される。
【００１４】
また、前記搬送部は、前記紙幣の搬送先が前記一時保留部に決定され、前記紙幣が前記一時保留部に搬送された場合、当該一時保留部から繰り出したバラ状態の紙幣を前記接客部へ搬送してもよい。
【００１５】
また、前記接客部は、紙幣の繰出口と、前記搬送部により搬送された前記紙幣を受け入れる受入口と、を有し、前記受入口から受け入れられた前記紙幣は、受け入れ時の表裏状態が維持された状態で上下方向に集積され、前記搬送部は、前記集積された紙幣を、前記繰出口から、受け入れ方向と逆方向に繰り出してもよい。
【００１６】
また、上記課題を解決するために、本発明の別の観点によれば、紙幣を投入する接客部と、結束紙幣の単位数、およびバラ状態の紙幣枚数を設定する設定部と、紙幣の表裏を判定する判定部と、紙幣を集積する紙幣集積部と、紙幣を結束する紙幣結束部と、前記紙幣結束部により結束される紙幣が集積される結束紙幣集積部と、前記設定部により設定された単位数の結束紙幣を構成する紙幣の枚数である結束紙幣枚数、および前記設定部により設定されたバラ状態の紙幣枚数の合計枚数を前記紙幣集積部から前記判定部に繰り出す搬送部と、紙幣折返部と、前記判定部から前記結束紙幣集積部へ向かう第１の搬送路と、前記判定部から前記紙幣折返部に向かう第２の搬送路とに分岐する分岐部と、各紙幣の搬送先について、前記判定部により表裏状態が第１の状態であると判定された場合は前記分岐部により前記第１の搬送路に送り込ませて到達する前記結束紙幣集積部に決定し、前記判定部により表裏状態が第２の状態であると判定され、かつ前記バラ状態の紙幣枚数に達していない場合は前記接客部に決定し、前記判定部により表裏状態が第２の状態であると判定され、かつ前記バラ状態の紙幣枚数に達した場合は、前記分岐部により紙幣反転機能部である前記第２の搬送路に送り込ませてから前記紙幣折返部で進路を折り返した上で前記第１の搬送路を介して到達する前記結束紙幣集積部に決定する制御部と、を備える、紙幣処理装置が提供される。
【００１７】
また、前記第１の状態は、裏状態であってもよい。
【００１８】
また、前記紙幣結束部および前記結束紙幣集積部は、前記判定部、前記紙幣集積部、および前記搬送部よりも上方に設けられてもよい。
【００１９】
また、前記結束紙幣集積部は、１つであってもよい。
【発明の効果】
【００２０】
以上説明したように本発明によれば、装置の小型化を実現しつつ、小束出金とバラ出金を並行して行うことが可能である。
【図面の簡単な説明】
【００２１】
【図１】本発明の実施形態である現金処理装置の外観構成を示した説明図である。
【図２】本実施形態による現金処理装置の内部構成を示すブロック図である。
【図３】本実施形態による紙幣処理部の内部構成を示した説明図である。
【図４】本実施形態による出金取引の流れを説明する図である。
【図５】本実施形態による出金取引の流れを説明する図である。
【図６】本実施形態による現金処理装置の接客部における紙幣の表裏反転について説明する図である。
【図７】本実施形態による出金取引の流れを説明する図である。
【図８】本実施形態による出金取引の動作を示すフローチャートである。
【図９】図８に示す小束出金処理の第１の動作を示すフローチャートである。
【図１０】図８に示す小束出金処理の第１の動作を示すフローチャートである。
【図１１】図８に示す小束出金処理の第２の動作の流れを説明する図である。
【図１２】図８に示す小束出金処理の第２の動作を示すフローチャートである。
【図１３】図８に示す小束出金処理の第２の動作を示すフローチャートである。
【図１４】第２の実施形態による紙幣処理部の内部構成および出金取引の流れを示した説明図である。
【図１５】第２の本実施形態による出金取引の流れを説明する図である。
【図１６】図１５に示す小束出金処理の動作を示すフローチャートである。
【図１７】図１５に示す小束出金処理の動作を示すフローチャートである。
【発明を実施するための形態】
【００２２】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２３】
本発明は、以下本明細書において詳細に説明するような多様な形態で実施され得る。また、本実施形態による紙幣処理装置（現金処理装置１０）は、
Ａ．結束紙幣の単位数、およびバラ状態の紙幣枚数を設定する設定部（制御部１７）と、
Ｂ．紙幣の表裏を判定する判定部（鑑別部２）と、
Ｃ．紙幣を集積する紙幣集積部（紙幣カセット４）と、
Ｄ．紙幣を結束する紙幣結束部（施封部８）と、
Ｅ．前記紙幣結束部により結束される紙幣が集積される結束紙幣集積部（施封紙幣集積部７）と、
Ｆ．前記設定部により設定された単位数の結束紙幣を構成する紙幣の枚数である結束紙幣枚数、および前記設定部により設定されたバラ状態の紙幣枚数の合計枚数を前記紙幣集積部から前記判定部に繰り出す搬送部（搬送路６）と、
Ｇ．各紙幣について、前記判定部により表裏状態が第１の状態であると判定されたか否か、および、前記結束紙幣集積部への紙幣の搬送枚数が前記結束紙幣枚数に達したか否かに基づき、紙幣反転機能部および前記結束紙幣集積部を含む複数の搬送先候補から前記紙幣の搬送先を決定する制御部（１７）と、
を有する。
【００２４】
このような現金処理装置１０について、まずは概要を説明する。
【００２５】
＜１．現金処理装置の概要＞
［１−１．現金処理装置の外観構成］
図１は、本発明の実施形態である現金処理装置１０の外観構成を示した説明図である。本実施形態による現金処理装置１０は、図１に示すように、装置正面右側に紙幣投入口１１ａおよび紙幣異物返却口１１ｂが設けられ、装置正面左側に硬貨投入口１２ａ、硬貨リジェクト口１２ｂ、硬貨返却口１２ｃ、釣銭出金口１２ｄ、および硬貨出金口１２ｅが設けられ、装置上側にカード挿入排出口１３ａ、印字部（レシートプリンタ）１４、表示部１６、および小束出金口（シャッタ９）が設けられている。
【００２６】
紙幣投入口１１ａは、入金取引における紙幣の投入口および出金取引における紙幣の受取口である。紙幣異物返却口１１ｂは、紙幣投入口１１ａに誤って投入された硬貨等の異物を返却する。
【００２７】
硬貨投入口１２ａは、入金取引における硬貨の投入口である。硬貨リジェクト口１２ｂは、硬貨投入口１２ａから投入された硬貨のうち、計数において硬貨鑑別部（不図示）により異常と認識された硬貨が返却される返却口である。硬貨返却口１２ｃは、計数済み硬貨の返却口である。釣銭出金口１２ｄは、計数された釣銭の受取口である。硬貨出金口１２ｅは、出金取引における出金硬貨の受取口である。
【００２８】
カード挿入排出口１３ａは、管理者等の操作者（オペレータ）のカードの挿入および排出を行う。
【００２９】
印字部（レシートプリンタ）１４は、取引明細等を印字したレシートの排出を行う。
【００３０】
表示部１６は、操作画面や取引内容を表示する。表示部１６は、例えばタッチパネルにより実現され、操作部１５（図２参照）としても機能する。また、図１に示すように、表示部１６の隣にはテンキーが設けられている。
【００３１】
小束出金口（シャッタ９）は、施封部８（図３参照）により施封された小束紙幣の排出を行う。
【００３２】
以上説明した現金処理装置１０は、例えば金融機関の営業店において接客用カウンタの後方に設置され、金銭に関する入金や出金等の各種処理を総合的に実行する。
【００３３】
［１−２．現金処理装置の内部構成］
次に、図２を参照して本実施形態による現金処理装置１０の内部構成について説明する。図２は、本実施形態による現金処理装置１０の内部構成を示すブロック図である。
【００３４】
図２に示すように、現金処理装置１０は、紙幣処理部１１、硬貨処理部１２、カードリーダ部１３、印字部１４、操作部１５、表示部１６、制御部１７、および記憶部１８を有する。
【００３５】
紙幣処理部１１は、紙幣投入口１１ａから投入される入金紙幣を鑑別、計数して紙幣収納部に収納する入金処理、および指定された金種、金額の紙幣を紙幣収納部から繰り出して鑑別、計数した後、紙幣投入口１１ａから出金する出金処理を行う。また、紙幣処理部１１は、施封部８（図３参照）を有し、施封部８により所定枚数の紙幣を施封して小束出金口（シャッタ９）から小束紙幣を出金する。また、紙幣処理部１１は、紙幣投入口１１ａに誤って投入された硬貨等の異物を紙幣異物返却口１１ｂから返却する。
【００３６】
硬貨処理部１２は、硬貨投入口１２ａから投入される入金硬貨を鑑別、計数して硬貨収納部に収納する入金処理、および指定された金種、金額の硬貨を硬貨収納部から繰り出して鑑別、計数した後、硬貨出金口１２ｅから出金する出金処理を行う。また、硬貨処理部１２は、上述した硬貨リジェクト口１２ｂ、硬貨返却口１２ｃ、および釣銭出金口１２ｄを有する。
【００３７】
カードリーダ部１３は、カード挿入排出口１３ａから挿入された管理者や操作者のカードからデータを読み取り、装置へのログインやオペレータ認識等を行う。また、カードリーダ部１３は、取引終了後にカード挿入排出口１３ａからカードを排出する。
【００３８】
印字部１４は、上述したように、取引終了後に取引内容を印字した明細票（レシート）を排出する。
【００３９】
操作部１５は、管理者や操作者の操作を検出する。例えば、操作部１５は、タッチパネルおよびテンキーにより実現される。
【００４０】
表示部１６は、上述したように、操作画面や取引内容を表示する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００４１】
なお、図１においては表示部１６と操作部１５が一体的に構成される例（すなわちタッチパネルディスプレイ）を示しているが、表示部１６および操作部１５の機能は分離して構成されてもよい。
【００４２】
制御部１７は、記憶部１８に格納されている制御プログラムに基づいて現金処理装置１０の各構成を制御する。また、制御部１７は、記憶部１８に格納されている画面を表示部１６に表示して各種の取引を遂行する。また、本実施形態による制御部１７は、紙幣処理部１１の搬送路６ａ〜６ｎ（図３参照）を制御することにより、入金、集積、出金および紙幣移動などの基本動作を制御する。また、制御部１７は、入力情報に基づいて、施封紙幣の単位数（小束数）、およびバラ状態の紙幣枚数（バラ出金枚数）を算出して設定する設定部としても機能する。
【００４３】
記憶部１８は、取引時における入力データ等を記憶する他、現金処理装置１０の動作を制御するための制御プログラムが格納されている。また、取引選択画面、各取引における処理ステップ毎の案内画面、および入力画面等も記憶部１８に格納されている。
【００４４】
本発明の実施形態は、上述した現金処理装置１０の紙幣処理部１１に関し、特に金種別に小束を施封する動作（小束出金と称す）および接客部１に紙幣を払い出す動作（バラ出金と称す）に関する。以下、本実施形態による紙幣処理部１１の構成を説明した後に、本発明の実施形態による出金取引について詳細に説明する。
【００４５】
＜２．紙幣処理部１１の構成＞
図３は、紙幣処理部１１の内部構成を示した説明図である。図３に示したように、紙幣処理部１１は、接客口１９を含む接客部１、鑑別部２、一時保留部３、紙幣カセット４ａ〜４ｄ、リジェクト庫５、搬送路６ａ〜６ｍ、施封紙幣集積部７（結束紙幣集積部）、施封部８（紙幣結束部）、およびシャッタ９（小束出金口）を備える。なお図３に示す紙幣処理部１１は側面図であって、右側が装置正面となっている。
【００４６】
接客部１は、入金取引時に操作者により紙幣投入口１１ａから接客口１９に投入された（入金された）紙幣を分離したり、出金取引時に操作者に出金する紙幣を集積したりするための構成である。
【００４７】
鑑別部２は、操作者の入金した紙幣、または操作者に出金する紙幣の鑑別を行う。具体的には、鑑別部２は、搬送路６を通って搬送された紙幣の金種、真偽、正損および走行状態などを鑑別する。
【００４８】
一時保留部３は、入金取引時に接客部１で分離されて鑑別部２により正常と鑑別された紙幣を一時的に集積する。一時保留部３に集積された紙幣は、鑑別部２を経て紙幣カセット４ａ〜４ｄなどへ搬送され、入金した紙幣の口座計上などが確定し、取引が成立する。また、一時保留部３は、紙幣カセット４ａ〜４ｄ間の紙幣移動の際にも用いられる。
【００４９】
紙幣カセット４ａ〜４ｄは、操作者の入金した紙幣、出金するための紙幣、および他の紙幣カセット４から分離された紙幣などを集積する紙幣集積部である。紙幣カセット４ａ〜４ｄは、同一金種のための複数の紙幣カセットを含んでもよい。例えば、紙幣カセット４ａおよび４ｃが一万円札用の紙幣カセットであり、紙幣カセット４ｂおよび４ｄが千円札用の紙幣カセットであってもよい。なお、紙幣カセット４ａ〜４ｄは、紙幣処理部１１に対して着脱可能な構造になっており、個別に交換することで紙幣カセット４ａ〜４ｄに紙幣を装填することも可能である。
【００５０】
リジェクト庫５は、出金取引時または入金取引時に鑑別部２によって金種不明と鑑別された入金、支払不可の紙幣を集積する。
【００５１】
搬送路６ａ〜６ｎは、紙幣を搬送するための構成である。各搬送路６ａ〜６ｎは、制御部１７による制御に従ってＤＣサーボモータまたはパルスモータなどが回転することにより、紙幣を目的の搬送先へ搬送することが可能である。
【００５２】
施封紙幣集積部７は、施封部８により施封される紙幣が集積される紙幣集積部である。施封紙幣集積部７は、施封する所定枚数（例えば１００枚）の紙幣を集積後、施封部８に紙幣を搬送する。
【００５３】
施封部８は、施封紙幣集積部７から搬送された所定枚数の紙幣をテープで結束（施封）し、結束した小束紙幣をシャッタ９から排出する。
【００５４】
シャッタ９は、施封部８により施封された小束紙幣を排出する小束出金口であって、施封部８により小束紙幣が排出される際に開き、操作者が小束紙幣を受け取ると閉じる。
【００５５】
上述した施封紙幣集積部７、施封部８、およびシャッタ９は、図３に示すように、紙幣処理部１１の上方、より具体的には、接客部１、鑑別部２、一時保留部３、紙幣カセット４ａ〜４ｄ、リジェクト庫５、および搬送路６ａ〜６ｍよりも上部に配置されている。このように、施封紙幣集積部７および施封部８を上部に設けることで、操作者は立ったまま小束を受け取ることができ、作業の利便性を向上させることができる。また、本実施形態では、図３に示すように、施封紙幣集積部７と施封部８を共に１つずつ設けることで、省スペース化を図ることができる。上記特許文献１（ＷＯ２００９−１１８８３９号公報）のように２つの施封紙幣集積部が設けられている場合、例えば一方に表紙幣、他方に裏紙幣を搬送して表裏を揃えることも可能であるが、本実施形態では省スペース化を実現するために施封紙幣集積部が１つであっても施封紙幣の表裏を揃えることができる。
【００５６】
なお図３には図示しないが、搬送路６ａ〜６ｎが搬送する紙幣や、各分離部（具体的には、接客部１、一時保留部３、紙幣カセット４ａ〜４ｄ、リジェクト庫５）から分離される紙幣の通過、到達は、搬送路６上や各分離部に設けられている光学センサの検知結果に基づいて制御部１７により判断される。また、目的の搬送先へ搬送するために搬送路の分岐にはブレードが実装され、制御部１７は当該ブレードを切り替えることで紙幣を所定の搬送先へ搬送させる。
【００５７】
また、本実施形態による紙幣処理部１１は、紙幣の表裏を反転させるためだけの従来の表裏反転機構を有さないことで、装置サイズを小さくすることができる。
【００５８】
（基本動作）
入金取引においては、まず、接客部１から紙幣が１枚ずつ分離され、分離された紙幣は搬送路６ａを経て鑑別部２へ搬送される。そして、鑑別部２による鑑別結果が正常であった紙幣は搬送路６ｃおよび６ｄを経て一時保留部３に集積される。一方、鑑別部２による鑑別結果が異常であった紙幣は搬送路６ｃおよび６ｅを経て接客部１に集積される。その後、操作者により入金金額の確認操作が行われると、集積処理に移行する。
【００５９】
集積処理においては、まず、一時保留部３から紙幣が１枚ずつ分離され、分離された紙幣は搬送路６ｄおよび６ｃを経て鑑別部２へ搬送される。そして、鑑別部２による鑑別結果が正常であった紙幣は、搬送路６ｂ、６ｆ〜６ｋを経て金種に対応する紙幣カセット４ａ〜４ｄに集積される。一方、汚損券、折れ紙幣、二千円札、スキュー紙幣などの走行異常紙幣のように、鑑別部２による鑑別結果が異常であった紙幣は、搬送路６ｇおよび６ｌを経てリジェクト庫５に集積される。
【００６０】
紙幣移動においては、まず、紙幣カセット４ａ〜４ｄのうちの移動元の紙幣カセットから紙幣が分離され、分離された紙幣は搬送路６ｆ〜６ｋ、６ｂを経て鑑別部２へ搬送される。そして、鑑別部２による鑑別結果が正常であった紙幣は搬送路６ｃおよび６ｄを経て一時保留部３へ搬送される。一方、鑑別部２による鑑別結果が異常であった紙幣は、搬送路６ｃおよび６ｍを経てリジェクト庫５に集積される。
【００６１】
その後、一時保留部３から紙幣カセット４ａ〜４ｄのうちの移動先の紙幣カセットに紙幣が搬送される。具体的には、一時保留部３から紙幣が１枚ずつ分離され、分離された紙幣は搬送路６ｄおよび６ｃを経て鑑別部２へ搬送される。そして、鑑別部２による鑑別結果が正常であった紙幣は、搬送路６ｂ、６ｆ〜６ｋを経て移動先の紙幣カセットに集積される。一方、鑑別部２による鑑別結果が異常であった紙幣は、搬送路６ｇおよび６ｌを経てリジェクト庫５に集積される。
【００６２】
通常の出金取引においては、まず、操作者により指定された金額に応じて紙幣カセット４ａ〜４ｄから紙幣が１枚ずつ分離され、分離された紙幣は搬送路６ｆ〜６ｋおよび６ｂを経て鑑別部２へ搬送される。
【００６３】
そして、鑑別部２による鑑別結果が正常であった紙幣は、搬送路６ｃおよび６ｅを経て接客部１に集積される。一方、鑑別部２による鑑別結果が異常であった紙幣、すなわち、操作者に支払いできない紙幣は、搬送路６ｃおよび６ｍを経てリジェクト庫５に集積される。
【００６４】
小束紙幣の出金取引においては、まず、操作者により指定された金種および束数（または枚数）に応じて紙幣カセット４ａ〜４ｄから紙幣が１枚ずつ分離され、分離された紙幣は搬送路６ｆ〜６ｋおよび６ｂを経て鑑別部２へ搬送される。
【００６５】
そして、鑑別部２による鑑別結果が正常であり、かつ表裏が所定の状態である紙幣は、搬送路６ｃおよび６ｎを経て施封紙幣集積部７に集積される。施封紙幣集積部７に所定枚数の紙幣が集積されると、施封部８へ搬送され、施封部８において紙幣の施封が行われ、シャッタ９から排出される。
【００６６】
整理施封取引においては、まず、接客部１から紙幣が１枚ずつ分離され、分離された紙幣は搬送路６ａを経て鑑別部２へ搬送される。そして、鑑別部２による鑑別結果が正常であり、指定された金種であって、かつ表裏が所定の状態である紙幣は搬送路６ｃおよび６ｎを経て施封紙幣集積部７に集積される。施封紙幣集積部７に所定枚数の紙幣が集積されると、施封部８へ搬送され、施封部８において紙幣の施封が行われ、シャッタ９から排出される。
【００６７】
（本発明の課題）
ここで、小束を作成する際には紙幣の表裏を揃えなければならず、従来の紙幣処理装置では特殊な表裏反転機構を紙幣処理装置に実装されているが、装置サイズが大きくなるという問題があった。これに対し、例えば接客部１等の紙幣反転機能部を介して搬送することで自動的に紙幣の表裏を反転させることが考えられる。この場合、特殊な表裏反転機構を実装する必要がなく、装置の小型化を実現することができる。
【００６８】
しかしながら、小束出金取引とバラ出金取引を行う場合、小束出金取引が終了してからバラ出金を行うと、小束出金取引では上述したように紙幣反転機能部を介した搬送が行われるため全ての処理が終わるまで時間がかかってしまう。
【００６９】
そこで、上記事情を一着眼点にして本発明の実施形態による現金処理装置１０を創作するに至った。本発明の実施形態による現金処理装置１０は、装置の小型化を実現しつつ、小束出金とバラ出金を並行して行うことが可能である。以下、このような本発明の実施形態について詳細に説明する。
【００７０】
＜３．第１の実施形態＞
本実施形態では、出金取引において、装置の小型化を実現しつつ、小束出金とバラ出金を並行して行うことで出金時間を短縮することができる現金処理装置１０を提案する。
【００７１】
図４、図５、および図７は、本実施形態による出金取引の流れを示した説明図である。図４に示したように、まず、指定された出金金種の紙幣が集積されている紙幣カセット４ｄから紙幣が分離され、分離された紙幣が搬送路６ｋ、６ｇ、６ｆ、および６ｂを経て鑑別部２に搬送される。そして、制御部１７は、鑑別部２による鑑別結果が正常であって、また、出金金種であり、かつ表裏が裏の状態である紙幣を、図４に示すように搬送路６ｃおよび６ｎを経て施封紙幣集積部７へ搬送するよう制御する。なお、本実施形態では、搬送路６ｎから施封紙幣集積部７に集積する際に紙幣の表裏が逆になるため、鑑別部２により裏と鑑別された紙幣を施封紙幣集積部７に搬送することで、表紙幣（表の面が上になった紙幣）の施封を実現することができる。
【００７２】
一方、制御部１７は、鑑別部２による鑑別結果が異常であった紙幣（リジェクト紙幣）を、図４に示すように搬送路６ｃおよび６ｍを経てリジェクト庫５へ搬送するよう制御する。また、制御部１７は、出金金種であっても表裏が表の状態である紙幣を、図４に示すように搬送路６ｃから搬送路６ｅへ送り込むことで紙幣の表裏を反転させ、接客部１へ搬送するよう制御する。
【００７３】
次いで、制御部１７は、接客部１に搬送された紙幣を、図５に示すように接客部１から再度分離し、分離した紙幣を、搬送路６ａを経て鑑別部２へ再搬送するよう搬送路を制御する。上述したように、接客部１には、出金金種であって表裏が反転した裏の状態である紙幣が搬送されているため、裏の状態となった紙幣が、鑑別部２に搬送される。
【００７４】
ここで、接客部１を利用した紙幣の表裏反転について図６を参照して説明する。図６では、紙幣３０において紙幣の表側を破線、裏側を実線で示している。本実施形態による小束出金取引では、まず、図６（ａ）に示したように鑑別部２で表側が上を向いている状態と鑑別された紙幣３０は、図６（ｂ）に示したように搬送路６ｃから搬送路６ｅに送り込まれることで紙幣の表裏が反転され、反転した状態で接客部１に集積される。
【００７５】
次いで、図６（ｃ）に示したように接客部１から紙幣３０が分離され、搬送路６ａに送り込まれる。ここで、本実施形態による接客部１は、搬送路６ｅから搬送された紙幣を受け入れる受入口２２と、搬送路６ａに紙幣が繰り出される（分離される）繰出口２３とを有する。そして、受入口２２から受け入れた紙幣３０を繰出口２３から繰り出す際に、受入口２２から受け入れた紙幣３０を、受け入れ方向と逆方向に繰り出すことで、紙幣３０の表裏が反転したまま搬送される。
【００７６】
したがって、図６（ｄ）に示したように接客部１から分離され、搬送路６ａを経て鑑別部２に再度搬送された紙幣３０は、裏側が上を向いている状態と鑑別され、施封紙幣集積部７に搬送される。このように、本実施形態では、搬送路６ｃから搬送路６ｅへの送り込みと、接客部１の繰出口２３において、紙幣３０を受け入れ方向と逆方向に繰り出すことで、紙幣３０の表裏を反転させて搬送することができる。
【００７７】
続いて、制御部１７は、鑑別部２による鑑別結果が正常である場合、図５に示すように搬送路６ｃおよび６ｎを経て当該紙幣を施封紙幣集積部７へ搬送する。この際、制御部１７は、施封紙幣集積部７へ搬送した紙幣が施封枚数（例えば１００枚）に達した場合、当該紙幣を搬送路６ｃおよび６ｄを経て一時保留部３へ搬送する。また、鑑別部２による再鑑別結果が異常である紙幣は、搬送路６ｃおよび６ｍを経てリジェクト紙幣としてリジェクト庫５へ搬送される。
【００７８】
そして、制御部１７は、図７に示したように、一時保留部３に集積した紙幣を、搬送路６ｄおよび６ｅを経て接客部１へ搬送してバラ出金の払い出しを行う。一時保留部３に集積されている紙幣は、小束出金取引の過程で既に鑑別部２により正常と判断された紙幣であるため、バラ出金の払い出しを迅速に行うことができる。
【００７９】
本実施形態による紙幣処理部１１は、上述した３つの処理（紙幣カセット４から鑑別部２への搬送、鑑別部２から施封紙幣集積部７または接客部１への搬送、接客部１から施封紙幣集積部７または一時保留部３への搬送）を行うことにより、出金金種の表裏を自動的に反転させて施封紙幣集積部７に表揃えの紙幣を集積させることができる。
【００８０】
（本実施形態による出金取引の動作フロー）
図８は、本実施形態による出金取引の動作を示すフローチャートである。図８に示したように、まず、操作者が表示部１６に表示されたメニュー画面を操作して出金取引を選択し（Ｓ１００）、さらに出金金額（または出金金種および枚数）を入力する（Ｓ１０２）。
【００８１】
次いで、制御部１７は、入力情報に基づいて、出金する小束数およびバラ紙幣枚数を算出する（Ｓ１０４）。ここでは一例として１００枚単位で小束出金を行うため、制御部１７は、入力された出金枚数（または入力された出金金額から算出した出金枚数）に基づいて、以下の式に示すように、小束数およびバラ出金枚数を算出する。
【００８２】
（式１）
小束数＝出金枚数／100
バラ出金枚数＝出金枚数／100の余り
【００８３】
次に、制御部１７は、小束出金が有るか否かを判断し（Ｓ１０６）、有る場合（つまり小束数が１以上の場合）は１００枚単位で小束出金処理を行う（Ｓ１０８）。小束出金処理の詳細については図９〜図１０を参照して後述する。
【００８４】
次いで、小束出金処理により施封紙幣集積部７に施封する所定の枚数、例えば１００枚の紙幣が集積されると、施封紙幣集積部７は集積された紙幣を施封部８に束搬送する（Ｓ１１０）。そして、施封部８により束紙幣に施封を行った後（Ｓ１１２）、施封部８から小束紙幣を押し出す（排出する）ことでシャッタ９を開き、小束受取位置まで小束紙幣を移動させる（Ｓ１１４）。制御部１７は、操作者が小束紙幣を受取ると、シャッタ９を閉じる。当該Ｓ１１２およびＳ１１４は、次のＳ１１６、Ｓ１０８と並行して処理され得る。
【００８５】
制御部１７は、施封部８へ束搬送した施封紙幣集積部７において次の紙幣の集積準備が完了した後、残りの小束出金が有るか否かを判断する（Ｓ１１６）。残りの小束出金が有る場合は上記Ｓ１０８に戻り、小束出金処理が行われる。
【００８６】
一方、残りの小束出金が無い場合、制御部１７は、小束出金後の状態を確認する（Ｓ１１８）。
【００８７】
この時、一時保留部３にバラ紙幣の出金が終了している（バラ出金枚数に達している）状態の場合（Ｓ１１８において「バラ紙幣支払済」）、制御部１７は、一時保留部３から接客部１へ全ての紙幣を搬送する（Ｓ１２０）。すなわち、上記Ｓ１０８の小束出金処理において、詳しくは図９および図１０を参照して説明するが、接客部１を介して表裏を反転した紙幣を施封紙幣集積部７へ搬送する際、施封紙幣集積部７に所定枚数が集積された場合は、当該紙幣をバラ出金に用いるため一時保留部３へ搬送する。したがって、一時保留部３にはバラ出金用の紙幣が集積された状態となっている。
【００８８】
また、一時保留部３に出金しているバラ紙幣がバラ出金枚数に足りてない状態の場合（Ｓ１１８において「バラ紙幣不足」）、制御部１７は、一時保留部３から接客部１へ全ての紙幣を搬送し（Ｓ１２２）、さらに不足分のバラ紙幣を紙幣カセット４から分離して鑑別部２を介して接客部１へ出金する（Ｓ１２４）。
【００８９】
また、一時保留部３にバラ紙幣が一枚も出金されていない状態の場合（Ｓ１１８において「バラ紙幣未出金」）、制御部１７は、紙幣カセット４からバラ出金枚数分の紙幣を分離して鑑別部２を介して接客部１へ出金する（Ｓ１２６）。
【００９０】
続いて、制御部１７は、印字部１４により、施封した通番および施封金額等の施封に関する情報およびバラ出金に関する情報を印字した明細票を排出させ（Ｓ１２８）、接客部１からの紙幣の受取を確認すると（Ｓ１３０）、出金取引を終了する。なお、小束紙幣が不足して出金取引が終了した場合、制御部１７は紙幣が不足していることを明細表に印字して排出し、操作者は施封紙幣集積部７から端数紙幣を抜取る。
【００９１】
以上、本実施形態による出金取引について説明した。次に、上記Ｓ１０８に示す小束出金処理について図９および図１０を参照して具体的に説明する。
【００９２】
図９および図１０は、小束出金処理の動作を示すフローチャートである。図９に示したように、まず、制御部１７は、指定された出金金種が格納されている紙幣カセット４から１枚ずつ１００枚の紙幣を分離する（Ｓ１４０、Ｓ１４２）。
【００９３】
次に、分離された紙幣は、紙幣カセット４から搬送路６ｆおよび６ｂを経て鑑別部２に搬送される。鑑別部２では、紙幣の金種、真偽、正損、走行状態、および表裏状態が鑑別され、制御部１７は、鑑別結果に基づいて、出金金種の裏紙幣（裏の面が上になった紙幣）の場合は（Ｓ１４４において「Ｙｅｓ」）、当該紙幣を搬送路６ｃおよび６ｎを経て施封紙幣集積部７へ搬送する（Ｓ１４６）。なお表紙幣の施封を行う際に裏紙幣を施封紙幣集積部７へ搬送するのは、搬送路６ｎから施封紙幣集積部７に集積する際に紙幣の表裏が逆になるためである。
【００９４】
一方、鑑別結果が出金金種の表紙幣の場合（Ｓ１４４において「Ｎｏ」、Ｓ１５０において「Ｙｅｓ」）、制御部１７は、当該紙幣を搬送路６ｃおよび６ｅを経て接客部１へ搬送する（Ｓ１５２）。図６を参照して上述したように、紙幣の表裏を反転させるためである。
【００９５】
ここで、バラ出金がある場合（算出したバラ出金枚数が１以上の場合）（Ｓ１５４において「Ｙｅｓ」）、制御部１７は、接客部１へ搬送した紙幣がバラ出金枚数の出金枚数に到達したか否かを確認する（Ｓ１５６）。
【００９６】
バラ出金枚数に到達していない場合（Ｓ１５６において「Ｎｏ」）、制御部１７は、紙幣カセット４からの分離枚数を１枚加算する（Ｓ１５８）。すなわち、接客部１へ搬送した表紙幣はバラ出金用の紙幣としても使用できるため、制御部１７は、紙幣カセット４から次の紙幣を分離し、できるだけ反転する必要のない裏紙幣を優先的に施封紙幣集積部７へ搬送し、接客部１を介して施封紙幣集積部７へ搬送する紙幣を減らすことができる。
【００９７】
一方、制御部１７は、鑑別結果が出金金種以外の紙幣（例えば偽券、損券、走行異常等のリジェクト紙幣）の場合（Ｓ１５０において「Ｎｏ」）、当該紙幣を搬送路６ｃおよび６ｍを経てリジェクト庫５へ搬送する（Ｓ１６０）。この際、リジェクト庫５へ紙幣を搬送した分、施封紙幣が不足してしまうため、制御部１７は、紙幣カセット４からの分離枚数を１枚増やす（Ｓ１６２）。
【００９８】
続いて、紙幣カセット４からの分離が終了すると（Ｓ１４８において「Ｙｅｓ」）、制御部１７は、接客部１に紙幣が有るか否かを確認し（Ｓ１６４）、無い場合は小束出金処理を終了する。
【００９９】
一方、接客部１に紙幣が有る場合（Ｓ１６４において「Ｙｅｓ」）、制御部１７は、接客部１から全ての紙幣を１枚ずつ分離する（図１０のＳ１６６）。接客部１には、紙幣カセット４から分離され鑑別部２で出金金種の表紙幣と鑑別され、搬送路６ｃおよび搬送路６ｅを経て表裏が判定して裏の状態となった紙幣が集積されている。
【０１００】
次に、分離された紙幣は、接客部１から搬送路６ａを経て鑑別部２に搬送される。ここで、接客部１から分離された紙幣は、上述したように既に紙幣カセット４からの分離において出金金種の表紙幣と鑑別された紙幣であるため、紙幣を鑑別しないモードまたは簡易鑑別で走行状態および正損だけをチェックするモードといった、鑑別部２でリジェクトされた場合に発生する処理時間を削減するモードを採用することも可能である。いずれのモードを採用するかは操作者により予め選択されてもよいし、管理者により予め設定されていてもよい。
【０１０１】
簡易鑑別モードの場合（Ｓ１７０において「Ｎｏ」、Ｓ１７２において「Ｙｅｓ」）、鑑別部２により、紙幣の走行状態および正損が鑑別される（Ｓ１７４）。走行状態が異常または損券である紙幣の場合（Ｓ１７４において「Ｎｏ」）、当該紙幣は搬送路６ｃおよび６ｍを経てリジェクト庫５へ搬送される（Ｓ１７８）。
【０１０２】
また、通常の鑑別モードの場合（Ｓ１７０において「Ｎｏ」、Ｓ１７２において「Ｎｏ」）、鑑別部２により、紙幣の金種、真偽、正損、走行状態、および表裏状態が鑑別される（Ｓ１７６）。鑑別結果が出金金種の裏紙幣ではない場合（Ｓ１７６において「Ｎｏ」）、当該紙幣は搬送路６ｃおよび６ｍを経てリジェクト庫５へ搬送される（Ｓ１７８）。
【０１０３】
一方、鑑別結果が出金金種の裏紙幣の場合（Ｓ１７６において「Ｙｅｓ」）、簡易鑑別モードにおいて走行状態が正常かつ正券である紙幣と鑑別された場合（Ｓ１７４において「Ｙｅｓ」）、若しくは紙幣を鑑別しないモードの場合（Ｓ１７０において「Ｙｅｓ」）、制御部１７は、施封紙幣集積部７の集積紙幣が１００枚に達していなければ（Ｓ１８０において「Ｎｏ」）、搬送路６ｃおよび６ｎを経て当該紙幣を施封紙幣集積部７へ搬送する（Ｓ１８２）。
【０１０４】
施封紙幣集積部７の集積紙幣が１００枚に達していれば（Ｓ１８０において「Ｙｅｓ」）、搬送路６ｃおよび６ｄを経て当該紙幣を一時保留部３へ搬送する（Ｓ１８４）。
【０１０５】
接客部１が空になった場合は分離動作を終了する（Ｓ１８６において「Ｙｅｓ」）。一方、接客部１が空になるまで分離動作は繰り返され（Ｓ１８６において「Ｎｏ」）、接客部１からの分離で紙幣をリジェクトした場合は（Ｓ１８７において「Ｙｅｓ」）、出金紙幣が不足するため、不足枚数を紙幣カセット４から分離し（Ｓ１８８）、図９に示すＳ１４２以降の処理が繰り返される。なお不足枚数は下記式により求められる。
【０１０６】
（式２）
不足枚数＝１００−施封紙幣集積部７への搬送枚数
【０１０７】
不足枚数の算出後、制御部１７は、接客部１からの分離の際、装置の異常で計数動作を繰り返す可能性もあるため、一定の動作時間（Ｓ１９０）、または接客部１から繰り出し回数が一定の回数（Ｓ１９２）に達したか否かを判断し、達した場合（Ｓ１９０において「Ｙｅｓ」、またはＳ１９２において「Ｙｅｓ」）、エラーとして計数を停止するよう制御する。これにより、計数動作を繰り返さない様にすることができる。つまり、不足枚数の算出後、紙幣カセット４から不足枚数分の紙幣が鑑別部２に搬送される（図９のＳ１４２からＳ１４４）。その際に表紙幣であると鑑別された紙幣は接客部１に搬送される（図９のＳ１５０）。接客部１から施封紙幣集積部７に紙幣を搬送する際に、接客部１から搬送された紙幣がリジェクト庫５に搬送された場合（図１０のＳ１７８）、再度不足枚数の算出を行う（図１０のＳ１８８）。そして、再度不足枚数分の紙幣を紙幣カセット４から搬送する。このような動作が何回も繰り返されないように、上述の一定の動作時間（Ｓ１９０）、または一定の回数（Ｓ１９２）に達したか否かを判断して、達している場合はエラーにする。また、接客部１からの紙幣の分離が終了してからエラー判断を行うことで、接客部１には残留紙幣が無いため、エラー発生時に操作者は施封紙幣集積部７から残留紙幣を取り除くだけでよい。また、図１０には図示しないが、誤って１０１枚以上の紙幣を搬送路６ｎに搬送してしまった場合にもエラーとして計数を停止する。
【０１０８】
以上説明したように、本実施形態によれば、出金取引において、紙幣カセット４から分離された紙幣が表紙幣であると鑑別された場合に接客部１を介して施封紙幣集積部７へ搬送することで、表裏を反転させることができる。また、紙幣カセット４からは施封紙幣集積部７へ搬送する枚数に加えて、接客部１へ払い出すバラ出金枚数分も分離され、反転処理を行う必要のない裏紙幣を優先的に施封紙幣集積部７へ搬送することで、接客部１を介して反転させた紙幣を施封紙幣集積部７へ搬送する処理時間を削減することができる。
【０１０９】
（第２の小束出金処理）
上記図１０を参照して説明した小束出金処理では、接客部１から分離した紙幣のうち、施封紙幣集積部７へ搬送しない紙幣（バラ出金用の紙幣；バラ紙幣）を一時保留部３へ搬送した後、接客部１へ再度搬送してバラ紙幣の出金を行っている。ここで、本実施形態では、小束出金処理において接客部１へ搬送していたバラ紙幣を一時保留部３へ搬送してもよく、これにより接客部１から一時保留部３へ搬送する処理時間を削減することができる。以下、このような小束出金処理について図１１〜図１３を参照して説明する。
【０１１０】
図１１は、第２の小束出金処理の動作の流れを説明する図である。図１１に示すように、まず、指定された出金金種の紙幣が集積されている紙幣カセット４ｄから紙幣が分離され、分離された紙幣が搬送路６ｋ、６ｇ、６ｆ、および６ｂを経て鑑別部２へ搬送される。そして、制御部１７は、鑑別部２による鑑別結果が正常であって、また、出金金種であり、かつ表裏が裏の状態である紙幣を、搬送路６ｃおよび６ｎを経て施封紙幣集積部７へ搬送するよう制御する。なお、本実施形態では、搬送路６ｎから施封紙幣集積部７に集積する際に紙幣の表裏が逆になるため、鑑別部２により裏と鑑別された紙幣を施封紙幣集積部７に搬送することで、表紙幣の施封を実現することができる。
【０１１１】
一方、制御部１７は、鑑別部２による鑑別結果が異常であった紙幣（リジェクト紙幣）を、図１１に示すように搬送路６ｃおよび６ｍを経てリジェクト庫５へ搬送するよう制御する。
【０１１２】
また、制御部１７は、出金金種であっても表裏が表の状態である紙幣は、バラ出金用の紙幣として用いることができるため、搬送路６ｃおよび６ｄを経て一時保留部３へ搬送するよう制御する。なお一時保留部３へ搬送した紙幣の枚数がバラ出金枚数に達した場合、制御部１７は、反転して施封紙幣として用いるため搬送路６ｃおよび６ｅを経て接客部１へ搬送するよう制御する。
【０１１３】
バラ出金の際は紙幣の表裏を揃える必要がないため、表紙幣と鑑別された紙幣を優先的にバラ紙幣に利用するよう一時保留部３へ搬送することで、反転処理時間を削減することができる。このような第２の小束出金処理の動作について以下説明する。
【０１１４】
図１２および図１３は、第２の小束出金処理の動作を示すフローチャートである。図１２のＳ３４０〜Ｓ３５０、Ｓ３６０〜Ｓ３６４は、上述した図９に示す第１の小束出金処理の動作におけるＳ１４０〜Ｓ１５０、Ｓ１６０〜Ｓ１６４と同様であるため、ここでの詳細は省略する。
【０１１５】
次いで、紙幣カセット４から分離して鑑別部２へ搬送した紙幣の鑑別結果が出金金種の表紙幣の場合（Ｓ３５０において「Ｙｅｓ」）、制御部１７は、バラ紙幣の出金の有無を確認する（Ｓ３５２）。バラ紙幣が有る場合（すなわちバラ出金枚数が１以上の場合）（Ｓ３５２において「Ｙｅｓ」）、バラ紙幣の出金枚数に到達していなければ（Ｓ３５４において「Ｎｏ」）、制御部１７は、当該紙幣を一時保留部３へ搬送する（Ｓ３５６）。この際、バラ紙幣を搬送した分、施封紙幣が不足してしまうため、制御部１７は、紙幣カセット４からの分離枚数を１枚増やす（Ｓ３５８）。
【０１１６】
一方、バラ紙幣が無い場合（すなわちバラ出金枚数が０の場合）（Ｓ３５２において「Ｎｏ」）、またはバラ紙幣の出金枚数に到達している場合（Ｓ３５４において「Ｙｅｓ」）、制御部１７は、当該紙幣を接客部１へ搬送する（Ｓ３５３）。
【０１１７】
次に、紙幣カセット４からの分離が終了し、接客部１に紙幣が有る場合（Ｓ３６４において「Ｙｅｓ」）、制御部１７は、接客部１から全ての紙幣を１枚ずつ分離する（図１３のＳ３６６、Ｓ３６８）。接客部１には、紙幣カセット４から分離され鑑別部２で出金金種の表紙幣と鑑別され、搬送路６ｃおよび搬送路６ｅを経て表裏が判定して裏の状態となった紙幣が集積されている。
【０１１８】
次いで、制御部１７は、分離した紙幣を、搬送路６ａを経て鑑別部２へ搬送し、図１０のＳ１７０〜Ｓ１７６に示す場合と同様に、紙幣鑑別無しモード（Ｓ３７０）、簡易鑑別モード（Ｓ３７２）、または通常の鑑別モード（Ｓ３７６）を実施する。
【０１１９】
そして、鑑別結果が出金金種の裏紙幣の場合（Ｓ３７６において「Ｙｅｓ」）、簡易鑑別モードにおいて走行状態が正常かつ正券である紙幣と鑑別された場合（Ｓ３７４において「Ｙｅｓ」）、若しくは紙幣を鑑別しないモードの場合（Ｓ３７０において「Ｙｅｓ」）、制御部１７は、搬送路６ｃおよび６ｎを経て当該紙幣を施封紙幣集積部７へ搬送する（Ｓ３８２）。図９、図１０を参照して説明した第１の小束出金処理と異なり、第２の小束出金処理では、表紙幣と鑑別された紙幣はバラ出金に用いるため既に一時保留部３へ搬送されており、接客部１には表裏を反転させて施封紙幣集積部７へ搬送するための紙幣が集積されているので、制御部１７は、接客部１から分離した紙幣は施封紙幣集積部７へ搬送するよう制御する。
【０１２０】
続くＳ３８６〜Ｓ３９２は、図１０に示すＳ１８６〜Ｓ１９２と同様であるため、ここでの説明は省略する。
【０１２１】
このように、本実施形態による第２の小束出金処理では、鑑別結果が表紙幣の場合はバラ紙幣として用いることができるため優先的に一時保留部３へ搬送することで、上記第１の小束出金処理では接客部１へ搬送してから一時保留部３へ搬送していた処理時間を削減することができる。
【０１２２】
（変形例）
なお、上述した第１の小束出金処理において、接客部１から紙幣を分離して施封紙幣集積部７へ搬送する際に、施封紙幣集積部７に所定枚数が集積された時点で接客部１からの紙幣の分離を停止し、接客部１にバラ出金用の紙幣を残すよう処理することで、搬送時間の削減を行うことも可能である。
【０１２３】
＜４．第２の実施形態＞
上記第１の実施形態では、図３に示す構造を有する紙幣処理部１１において、図６を参照して説明したように接客部１を介して紙幣を搬送することで紙幣の表裏を反転させているが、本発明はこれに限定されず、例えば三叉路セレクタを用いて紙幣の表裏を反転することが可能である。
【０１２４】
図１４は、第２の実施形態による紙幣処理部２１の内部構成および出金取引の流れを示した説明図である。図１４に示す紙幣処理部２１の構成は、図３に示す紙幣処理部１１の構成と比較して、搬送路６ｄおよび６ｎの分岐に三叉路セレクタ２０が追加されている点が異なり、他の構成は同様である。
【０１２５】
三叉路セレクタ２０が追加されることで、紙幣処理部２１は、搬送路６ｃから搬送路６ｎ（施封紙幣集積部７へ向かう第１の搬送路）に紙幣を送り込む他、搬送路６ｃから搬送路６ｄ（一時保留部３（紙幣折返部）に向かう第２の搬送路）に送り込んで一時保留部３（紙幣折返部）で進路を折り返した紙幣を搬送路６ｄ（第２の搬送路）から搬送路６ｎ（第１の搬送路）へ送り込むことが可能となる。
【０１２６】
以上説明した構成を有する紙幣処理部２１において、まず、図１４に示したように、指定された出金金種の紙幣が集積されている紙幣カセット４ｄから分離され、分離された紙幣が搬送路６ｋ、６ｇ、６ｆ、および６ｂを経て鑑別部２へ搬送される。そして、制御部１７は、鑑別部２による鑑別結果が出金金種であって、表裏が裏の状態である紙幣を、図１４に示したように、搬送路６ｃおよび６ｎを経て施封紙幣集積部７へ搬送するよう制御する。なお、本実施形態では、搬送路６ｎから施封紙幣集積部７に集積する際に紙幣の表裏が逆になるため、鑑別部２により裏と鑑別された紙幣を施封紙幣集積部７へ搬送することで、表紙幣の施封を実現することができる。
【０１２７】
一方、制御部１７は、鑑別部２による鑑別結果が異常であった紙幣（リジェクト紙幣）を、図１４に示したように、搬送路６ｃおよび６ｍを経てリジェクト庫５へ搬送するよう制御する。
【０１２８】
また、制御部１７は、出金金種であっても表裏が表の状態である紙幣は、バラ出金用の紙幣として用いるために、図１４に示したように、搬送路６ｃおよび６ｅを経て接客部１へ搬送するよう制御する。なお接客部１へ搬送した紙幣の枚数がバラ出金枚数に達した場合、制御部１７は、反転して施封紙幣として用いるため搬送路６ｃおよび６ｄを経て一時保留部３へ搬送するよう制御する。
【０１２９】
そして、制御部１７は、一時保留部３へ搬送された紙幣を、一時保留部３から分離して搬送路６ｎへ送り込むことで紙幣の表裏を反転させ、分離した紙幣を、施封紙幣集積部７へ搬送するよう搬送路を制御する。上述したように、一時保留部３には、施封金種であるが表裏が表の状態である紙幣が搬送されているため、折返部として機能する一時保留部３で進路を折り返した紙幣を一時保留部３から搬送路６ｎへ送り込むことで、紙幣の表側が上を向いた状態で施封紙幣集積部７へ集積することができる。
【０１３０】
このように、第２の実施形態による紙幣処理部２１は、上述した３つの処理（接客部１から鑑別部２への搬送、鑑別部２から施封紙幣集積部７、接客部１、または一時保留部３への搬送、一時保留部３から施封紙幣集積部７への搬送）を行うことで、分離した紙幣のうち表と鑑別された紙幣はバラ出金用の紙幣とすることで、反転処理を削減することができる。
【０１３１】
以上説明した構成を有する紙幣処理部２１における出金取引の流れについて図１５〜図１７を参照して説明する。
【０１３２】
（本実施形態による出金取引の動作フロー）
図１５は、第２の実施形態による出金取引の動作を示すフローチャートである。図１５のＳ５００〜Ｓ５１８は、上述した図８に示す第１の実施形態による出金取引の動作におけるＳ１００〜Ｓ１１８と同様に行われる。すなわち、制御部１７は、小束出金が有る場合は小束出金処理（Ｓ５０８）を行い、残りの小束出金が無い場合、小束出金後の状態を確認する（Ｓ５１８）。
【０１３３】
上記Ｓ５０８の小束出金処理において、詳しくは図９および図１０を参照して説明するが、小束出金用にまず１００枚の紙幣を分離した際に、表紙幣と鑑別された紙幣は、バラ出金用の紙幣として用いるため接客部１へ搬送される。したがって、接客部１にはバラ出金用の紙幣が集積された状態となっている。
【０１３４】
接客部１にバラ紙幣の出金が終了している（バラ出金枚数に達している）状態の場合（Ｓ５１８において「バラ紙幣支払済」）、制御部１７は、新たな紙幣の搬送は行わない。
【０１３５】
一方、接客部１にバラ紙幣が一枚も出金されていない状態の場合（Ｓ５１８において「バラ紙幣未出金」）または出金しているバラ紙幣がバラ出金枚数に足りてない状態の場合（Ｓ５１８において「バラ紙幣不足」）、制御部１７は、不足分のバラ紙幣を紙幣カセット４から分離して鑑別部２を介して接客部１へ出金する（Ｓ５２６）。
【０１３６】
そして、制御部１７は、印字部１４により、施封した通番および施封金額等の施封に関する情報およびバラ出金に関する情報を印字した明細票を排出させ（Ｓ５２８）、接客部１から紙幣が操作者に受け取られると（Ｓ５３０）、出金取引を終了する。なお、小束紙幣が不足して出金取引が終了した場合、制御部１７は紙幣が不足していることを明細表に印字して排出し、操作者は施封紙幣集積部７から端数紙幣を抜取る。
【０１３７】
以上、本実施形態による出金取引について説明した。次に、上記Ｓ５０８に示す小束出金処理について図１６および図１７を参照して具体的に説明する。
【０１３８】
図１６および図１７は、第２の実施形態による小束出金処理の動作を示すフローチャートである。図１６のＳ５４０〜Ｓ５５０、Ｓ５６０〜Ｓ５６４は、上述した図９に示す第１の小束出金処理の動作におけるＳ１４０〜Ｓ１５０、Ｓ１６０〜Ｓ１６４と同様であるため、ここでの詳細は省略する。
【０１３９】
次いで、紙幣カセット４から分離して鑑別部２へ搬送した紙幣の鑑別結果が出金金種の表紙幣の場合（Ｓ５５０において「Ｙｅｓ」）、制御部１７は、バラ紙幣の出金の有無を確認する（Ｓ５５２）。バラ紙幣が有る場合（すなわちバラ出金枚数が１以上の場合）（Ｓ５５２において「Ｙｅｓ」）、バラ紙幣の出金枚数に到達していなければ（Ｓ５５４において「Ｎｏ」）、制御部１７は、当該紙幣を接客部１へ搬送する（Ｓ５５６）。この際、バラ紙幣を搬送した分、施封紙幣が不足してしまうため、制御部１７は、紙幣カセット４からの分離枚数を１枚増やす（Ｓ５５８）。
【０１４０】
一方、バラ紙幣が無い場合（すなわちバラ出金枚数が０の場合）（Ｓ５５２において「Ｎｏ」）、またはバラ紙幣の出金枚数に到達している場合（Ｓ５５４において「Ｙｅｓ」）、制御部１７は、当該紙幣の表裏を反転するため一時保留部３へ搬送する（Ｓ５５３）。
【０１４１】
次に、紙幣カセット４からの分離が終了し、一時保留部３に紙幣が有る場合（Ｓ５６４において「Ｙｅｓ」）、制御部１７は、一時保留部３から全ての紙幣を１枚ずつ分離し（図１７のＳ５６６、Ｓ５６８）、施封紙幣集積部７へ搬送する（Ｓ５７０）。より具体的には、制御部１７は、三叉路セレクタ２０を搬送路６ｄ方向から搬送路６ｎ方向に切り替え、一時保留部３から分離した紙幣を搬送路６ｎに送り込む。一時保留部３には、紙幣カセット４ｄから分離され鑑別部２で出金金種の表紙幣と鑑別された紙幣が集積されているため、一時保留部３から分離して搬送路６ｎへ送り込むことで、上述したように紙幣の表裏が反転される。上記Ｓ５６８、Ｓ５７０は、一時保留部３から全ての紙幣を分離するまで繰り返される（Ｓ５７２）。
【０１４２】
＜５．むすび＞
以上説明したように、本発明の実施形態によれば、特殊な表裏反転機構を備えなくとも、接客部１や三叉路セレクタ２０を用いることで表裏を反転させることができる。
【０１４３】
また、出金取引において、小束出金とバラ出金を並行して行うことで、出金金種のうち裏紙幣と鑑別された紙幣を優先的に施封紙幣集積部７へ集積し、表紙幣と鑑別された紙幣をバラ出金用の紙幣とすることで、出金時間を短縮することができる。
【０１４４】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１４５】
例えば、本明細書の現金処理装置１０の処理における各ステップは、必ずしもフローチャートとして記載された順序に沿って時系列に処理する必要はない。例えば、現金処理装置１０の処理における各ステップは、説明した順序と異なる順序で処理されても、並列的に処理されてもよい。
【０１４６】
また、現金処理装置１０に内蔵されるＣＰＵ、ＲＯＭおよびＲＡＭなどのハードウェアを、上述した現金処理装置１０の制御部１７と同等の機能を発揮させるためのコンピュータプログラムも作成可能である。また、該コンピュータプログラムを記憶させた記憶媒体も提供される。また、紙幣処理部１１、硬貨処理部１２に内蔵されるＣＰＵ、ＲＯＭおよびＲＡＭ等を実装している場合には、制御部１７と同様な機能を発揮させる事もできる。
【符号の説明】
【０１４７】
１      接客部
２      鑑別部
３      一時保留部
４ａ〜４ｄ  紙幣カセット
５      リジェクト庫
６ａ〜６ｎ  搬送路
７    施封紙幣集積部
８    施封部
９    シャッタ（小束出金口）
１０    現金処理装置
１１、２１    紙幣処理部
１１ａ    紙幣投入口
１１ｂ    紙幣異物返却部
１２    硬貨処理部
１３    カードリーダ部
１４    印字部
１５    操作部
１６    表示部
１７    制御部
１８    記憶部
１９    接客口
２０    三叉路セレクタ
２２    受入口
２３    繰出口
３０    紙幣
【図１】
0006398544.tif 000002
【図２】
0006398544.tif 000003
【図３】
0006398544.tif 000004
【図４】
0006398544.tif 000005
【図５】
0006398544.tif 000006
【図６】
0006398544.tif 000007
【図７】
0006398544.tif 000008
【図８】
0006398544.tif 000009
【図９】
0006398544.tif 000010
【図１０】
0006398544.tif 000011
【図１１】
0006398544.tif 000012
【図１２】
0006398544.tif 000013
【図１３】
0006398544.tif 000014
【図１４】
0006398544.tif 000015
【図１５】
0006398544.tif 000016
【図１６】
0006398544.tif 000017
【図１７】
0006398544.tif 000018